(57)【特許請求の範囲】
【請求項１】
アイコンを表示する表示部と、
表示部に表示された画像に対する操作入力を行うタッチパネルと、
上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御する制御部とを有する
ことを特徴とする画像表示装置。
【請求項２】
上記設定された動作モードに基づいて、禁止エリアの範囲が上記表示部の画面横方向の幅に対応して変更される
ことを特徴とする請求項１に記載の画像表示装置。
【請求項３】
上記禁止エリアが上記画面のサイズに基づいて設定されている
ことを特徴とする請求項１に記載の画像表示装置。
【請求項４】
上記アイコンに対して操作入力する際に誤って上記禁止エリアに対して操作入力した場合には、上記表示部の操作可能なアイコン及び表示のみのアイコンが消去される
ことを特徴とする請求項１に記載の画像表示装置。
【請求項５】
上記動作モードがオートフォーカス検波領域内で所望とするオートフォーカスポイントをマニュアルで設定可能とするモードであって、上記禁止エリアに対しての操作入力である場合に、オートフォーカスポイントを示すオートフォーカス枠を除いたアイコンが消去される
ことを特徴とする請求項１に記載の画像表示装置。
【請求項６】
上記制御部は、上記アイコンに対して操作入力する際に誤って上記禁止エリアに対して操作入力した場合には、上記表示部のアイコンを介しての設定を禁止する
ことを特徴とする請求項１に記載の画像表示装置。
【請求項７】
被写体像を撮像し画像信号を得る撮像部と、
上記画像信号に基づく撮像画像並びにアイコンを表示する表示部と、
上記表示部に表示された画像に対する操作入力を行うタッチパネルと、
上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御する制御部とを有する
ことを特徴とする撮像装置。
【請求項８】
撮像画像並びにアイコンを表示するステップと、
制御部が、上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御するステップとを有する
ことを特徴とする画像表示制御方法。
【請求項９】
コンピュータに、
撮像画像並びにアイコンを表示するステップと、
制御部が、上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御するステップを実行させる
ことを特徴とするプログラム。
【発明の詳細な説明】
【技術分野】
【０００１】
本発明は、例えば画像や各種設定等に係るアイコンを表示する画像表示装置等に係り、特にタッチパネル等の操作入力部による誤設定や誤操作を未然防止する画像表示装置、撮像装置、画像表示制御方法、プログラムに関する。
【背景技術】
【０００２】
従来、デジタルスチルカメラやデジタルビデオカメラ等の撮像装置では、ＬＣＤ(Liquid Crystal Display)等の液晶パネルを備えており、撮像画像のみならず、各種設定に係る所定のアイコンをも表示可能となっている。さらに、今日では、タッチパネル等の操作入力手段を備えた撮像装置も存在し、当該タッチパネルの任意位置をタップすることで、所定の操作入力を行うことも可能となっている。この場合には、該撮像装置において液晶パネルとタッチパネルとでタッチスクリーンを構成することになる。
【０００３】
このように、例えばタッチパネル等の操作入力部を用いて各種設定を行うことができる装置の場合には、誤操作の問題をいかにして排除するかは重要な問題となる。
【０００４】
このような問題に鑑みて、例えば特許文献１では、タッチパネル式の操作ボタンの操作タイミングに対して表示パネルの変位が所定の時間内に生じた場合に、誤操作と判断して動作を無効にすることで、表示パネルの角度調整操作に際して誤って操作ボタンが操作された場合に該操作に基づく動作を無効とし、撮像装置の状態を誤操作前の状態に復帰させる技術が開示されている。同技術によれば、撮像装置本体に傾動可能に設けられた操作ボタン付き表示パネルを傾動操作する際に、誤って操作ボタンを操作した場合でも、それによる誤動作を防止でき、適正な動作状態を確保できる。
【０００５】
【特許文献１】特開２００５−０３９５８２号公報
【発明の開示】
【発明が解決しようとする課題】
【０００６】
しかしながら、前述した従来技術では、タッチパネル上に表示された各種のアイコンをタップすることで、所望とする設定を行うことができるものの、ユーザが操作時に無意識のうちにタッチパネルに指がかかっている状態で所望とするアイコンをタップするような場合には、誤設定或いは誤操作を招くおそれがあった。
【０００７】
この点、前述した特許文献１に開示された撮像装置に関する技術は、表示パネルの変位との関係で誤操作の有無を判断するものであって、該表示パネルの変位とは無関係にタッチスクリーンへの誤入力を検出し、未然防止するものではない。
【０００８】
本発明は、タッチパネル等の操作入力部より誤入力がなされている場合に、該ユーザに対して該状況を認識させることで、誤設定や誤操作等を未然防止することを課題とする。
【課題を解決するための手段】
【０００９】
本発明の第１の観点に係る画像表示装置によれば、アイコンを表示する表示部と、表示部に表示された画像に対する操作入力を行うタッチパネルと、上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御する制御部とを有するようにしたものである。
【００１０】
従って、タッチパネルより操作入力がなされたときに、それが禁止エリアからのものである場合には、制御部が、それを誤入力として検出し、表示部のアイコンを消去することで、該誤入力である旨をユーザに対して認知させることになる。
【００１１】
尚、上記制御部が、上記表示部のアイコンを消去すると共に、所定の警告表示を表示部に表示するよう制御することとしてもよい。
【００１２】
本発明の第２の観点に係る撮像装置によれば、撮像部が被写体像を撮像し画像信号を得て、上記画像信号に基づく撮像画像並びにアイコンを表示する表示部と、上記表示部に表示された画像に対する操作入力を行うタッチパネルと、上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御する制御部とを有するようにしたものである。
【００１３】
従って、タッチパネルより操作入力がなされたときに、それが禁止エリアからのものである場合には、制御部が、それを誤入力として検出し、表示部の撮像装置の各種設定等に係るアイコンを消去することで、該誤入力である旨をユーザに対して認知させる。
【００１４】
尚、上記制御部が、上記表示部のアイコンを消去すると共に、所定の警告表示を表示部に表示するよう制御することとしてもよい。
【００１５】
本発明の第３の観点に係る画像表示制御方法は、撮像画像並びにアイコンを表示するステップと、制御部が、上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御するステップとを有するようにしたものである。
【００１６】
従って、タッチパネルより操作入力がなされたときに、それが禁止エリアからのものである場合には、制御部が、それを誤入力として検出し、表示部のアイコンを消去することで、該誤入力である旨をユーザに対して認知させる。
【００１７】
本発明の第４の観点に係るプログラムは、コンピュータに、撮像画像並びにアイコンを表示するステップと、制御部が、上記タッチパネルにより操作入力がなされた場合に誤入力であると判断される禁止エリアを、予め設定された所定の動作モードに基づいて設定し、操作入力が上記アイコンに対しての操作入力の場合にアイコンに関する所定の制御を行い、上記操作入力が上記禁止エリアに対しての操作入力である場合に上記表示部のアイコンを消去するように制御するステップを実行させるようにしたものである。
【００１８】
従って、プログラムによるソフトウェア処理により、タッチパネルより操作入力がなされたときに、それが禁止エリアからのものである場合には、誤入力として検出し、表示部のアイコンを消去することで、該誤入力である旨をユーザに対して認知させる。
【発明の効果】
【００１９】
本発明によれば、例えばタッチパネル等の操作入力部より誤入力がなされている場合に該ユーザに対して該状況を認識させることで、誤設定や誤操作等を未然防止する画像表示装置、撮像装置、画像表示制御方法、プログラムを提供することができる。
【発明を実施するための最良の形態】
【００２０】
以下、図面を参照して、本発明を実施するための最良の形態（以下、単に実施の形態という）について詳細に説明する。
【００２１】
図１には本発明の第１の実施の形態に係る画像表示装置の構成を示し説明する。
【００２２】
この図１に示されるように、画像表示装置は、全体の制御を司る制御部１と操作入力部３、記憶部４、表示部５からなる。そして、この制御部１は、記憶部４に格納されている制御プログラム２を読み出し実行することで、禁止エリア設定機能２ａ、表示制御機能２ｂ、主制御機能２ｃを奏する。尚、制御部１が、各機能２ａ乃至２ｃの機能を奏するとき禁止エリア設定手段、表示制御手段、主制御手段としての役割を果たすことになる。
【００２３】
制御部１は、禁止エリア設定機能２ａにより、例えば撮影モードに応じて、操作入力部３としてのタッチパネルの全領域の中で所定の禁止エリアを設定することができる。ここで、「禁止エリア」とは、当該エリアにユーザの指が触れるなどして誤入力がなされている場合に、後述する表示制御を実行する所定領域をいう。
【００２４】
以下、図２のフローチャートを参照して、以上の設定がなされていることを前提に、第１の実施の形態に係る画像表示装置による特徴的な処理を詳細に説明する。
【００２５】
先ず、制御部１は、表示制御機能２ｂにより所定の操作画面１００を表示する（ステップＳ１）。この操作画面１００には、各種操作を指示するための複数のアイコン１００ａが表示されており、更に該画面１００の領域１００ｂに相当するタッチパネルの領域は禁止エリアとして設定されている。続いて、制御部１は、主制御機能２ｃにより操作入力部３を介して操作入力がなされたか否かを判断する（ステップＳ２）。
【００２６】
このステップＳ２において、操作入力がなされていないと判断した場合には、制御部１は操作入力がなされるまで待機することになり、一方、操作入力がなされたものと判断した場合には、制御部１は、操作入力部３である例えばタッチパネル等の禁止エリアに指が触れる等して入力がなされているか否かを判断する（ステップＳ３）。つまり、このステップＳ３では、制御部１は、操作入力部３であるタッチパネルからの操作入力が、禁止エリアからのものであるか、つまり誤入力であるかを検出することになる。
【００２７】
そして、このステップＳ３において、制御部１は、禁止エリア（画面１００の領域１００ｂに相当）に指が触れるなどしてなされた誤入力であると判断した場合には（ステップＳ３をＹｅｓに分岐）、表示制御機能２ｂにより表示部５の画面のアイコンの表示を消去する（ステップＳ４）。即ち、この場合においては、図１に示されるように、画面１０１においては、禁止エリアである領域１０１ｂに指が触れて誤入力がなされているのでアイコン表示領域１０１ａのアイコンは全て消去されることになる。
【００２８】
続いて、制御部１は、主制御機能２ｃにより指が離れたか否かを判断する（ステップＳ５）。そして、制御部１は、誤入力が検出されなくなるまで、つまり、例えばユーザの指が禁止エリアから離れるまで待機し、その後、主制御機能２ｃにより禁止エリアから指が離れたものと判断すると（ステップＳ５をＹｅｓに分岐）、ステップＳ１に戻り、上記処理を繰り返すことになる。一方、禁止エリア（領域１００ｂ，１０１ｂに相当）に指が触れるなどしてなされた誤入力でなければ（ステップＳ３をＮｏに分岐）、該入力に基づいて所定の処理を実施し（ステップＳ６）、一例の処理を終了する。
【００２９】
この所定の処理としては、画像サイズ設定の変更、セルフタイマ設定の変更、撮影モード設定の変更、撮影モード設定の変更等、各種のものがある。いかなる処理を行うかについては、選択されたアイコンに基づいて、制御部１が判断する。
【００３０】
このように、本発明の第１の実施の形態に係る画像表示装置によれば、操作入力部３としてのタッチパネル等の禁止エリアに指がかかるなどして誤入力がなされている場合にアイコンの表示を消去することで、当該状況をユーザに認識させることができる。
【００３１】
尚、上記アイコンの画面表示の消去の後、更に「誤入力がなされている」旨の警告表示を行なうようにしてもよいことは勿論である。
【００３２】
次に、本発明の第２の実施の形態について説明する。
【００３３】
図３には本発明の第２の実施の形態に係る撮像装置の構成を示し説明する。
【００３４】
これは、前述した第１の実施の形態に係る画像表示装置をデジタルスチルカメラやデジタルビデオカメラ等の撮像装置に適用したものである。以下、詳述する。
【００３５】
この図３に示されるように、第１の実施の形態に係る撮像装置には、撮影レンズ、絞り、フォーカスレンズ等を概念上含むレンズ部１１が配設されている。そして、このレンズ部１１を介して入射する被写体光の光路上には、ＣＣＤ(Charge Coupled Device)等の撮像素子１２が配置されている。この撮像素子１２の出力は、アナログ信号処理部１３、アナログ／ディジタル(A/D; Analog/Digital)変換部１４を介してディジタル信号処理部１５の入力に接続されている。そして、このディジタル信号処理部１５の出力は、液晶パネル１７、記録デバイス１９の入力に電気的に接続されている。
【００３６】
レンズ部１１には、それを構成する絞りの調整やフォーカスレンズの移動を行うためのアクチュエータ２０が機械的に接続されている。そして、該アクチュエータ２０は、その駆動制御を行うためのモータドライバ２１に接続されている。
【００３７】
さらに、この撮像装置には、全体の制御を司るＣＰＵ(Central Processing Unit)２３が配設されており、該ＣＰＵ２３は、モータドライバ２１、タイミングジェネレータ(TG; Timing Generator)２２、操作部２４、ＥＥＰＲＯＭ(Electrically Erasable Programmable ROM)２５、プログラムＲＯＭ(Read Only Memory)２６、ＲＡＭ(Random Access Memory)２７、タッチパネル１６と接続されている。尚、ＣＰＵ２３がプログラムＲＯＭ２６に格納された制御プログラムを読み出し、実行することで、制御手段、特に禁止エリア設定手段、表示制御手段、主制御手段等として機能する。
【００３８】
タッチパネル１６と液晶パネル１７とでタッチスクリーン１８が構成される。
【００３９】
記録デバイス１９は、例えばＤＶＤ(Digital Versatile Disc)等のディスクやメモリカード等の半導体メモリその他のリムーバブルな記録媒体であり、撮像装置本体に対して着脱自在となっている。ＥＥＰＲＯＭ２５は、設定された各種情報その他の電源がオフにされたときも保持すべきデータ等を記憶する為のものである。プログラムＲＯＭ２６は、ＣＰＵ２３が実行するプログラム、該プログラムを実行する上で必要なデータを記憶する為のものである。そして、ＲＡＭ２７は、ＣＰＵ２３が各種処理を実行する際のワークエリアとして必要なプログラムやデータを一時記憶する為のものである。
【００４０】
このような構成において、ＣＰＵ２３は、プログラムＲＯＭ２６に記録されているプログラムを実行することにより撮像装置を構成する各部を制御し、タッチパネル１６からの信号や、操作部２４からの信号に応じて、所定の処理を実行する。操作部２４は、ユーザによって操作されるもので、該操作に対応した信号をＣＰＵ２３に供給する。
【００４１】
すなわち、タッチパネル１６の任意の位置に指が触れる等して押下されると、つまりユーザにより所定の操作入力がなされると、該タッチパネル１６より押下された位置の座標が検出され、当該座標に係る信号がＣＰＵ２３に送出され、該ＣＰＵ２３は該座標に対応する所定の情報を取得し、該情報に基づいて所定の処理を実行する。
【００４２】
レンズ部１を介して被写体光が入射すると、撮像素子１２は被写体光を撮像し、光電変換し、アナログの画像信号を出力する。このとき、モータドライバ２１は、ＣＰＵ２３の制御に基づきアクチュエータ２０を駆動する。この駆動により、レンズ部１１は、撮像装置の筐体から露出／収納される。また、この駆動により、レンズ部１１を構成する絞りの調整や、レンズ部１１を構成するフォーカスレンズの移動が行われる。
【００４３】
さらに、タイミングジェネレータ２２は、ＣＰＵ２３の制御に基づいて、タイミング信号を撮像素子１２に供給する。このタイミング信号により撮像素子１２における露出時間等が制御される。撮像素子１２は、このタイミングジェネレータ２２から供給されるタイミング信号に基づいて動作することにより、レンズ部１を介して入射する被写体からの光を受光して光電変換を行い、受光量に応じた電気信号としてのアナログの画像信号を、アナログ信号処理部１３に供給する。アナログ信号処理部１３は、ＣＰＵ２３の制御に基づいて、撮像素子１２から送出されたアナログの画像信号に対してアナログ信号処理（増幅等）を行い、その結果得られる画像信号を、Ａ／Ｄ変換部１４に供給する。
【００４４】
その後、Ａ／Ｄ変換部１４は、ＣＰＵ２３の制御に基づいて、アナログ信号処理部１３からのアナログの画像信号をＡ／Ｄ変換し、その結果得られるディジタルの画像データをディジタル信号処理部１５に供給することになる。ディジタル信号処理部１５は、ＣＰＵ２３の制御に基づいてＡ／Ｄ変換部１４からのディジタルの画像信号に対し、ノイズ除去処理等のディジタル信号処理を施し、液晶パネル１７に供給して表示させる。
【００４５】
ディジタル信号処理部１５は、Ａ／Ｄ変換部１４からのディジタルの画像信号を、例えばＪＰＥＧ(Joint Photographic Experts Group)方式等で圧縮し、その結果、得られる圧縮されたディジタルの画像信号を、記録デバイス１９に供給して記録させる。
【００４６】
更に、ディジタル信号処理部１５は、記録デバイス１９に記録された圧縮された画像データを伸張し、その結果得られる画像データを液晶パネル１７に供給して表示させる。つまり、ディジタル信号処理部１５は、Ａ／Ｄ変換部１４からの画像データを、液晶パネル１７に供給し、これにより液晶パネル１１では所謂スルー画が表示される。その他、ディジタル信号処理部１５は、ＣＰＵ２３の制御に基づいて、フォーカスの制御に用いるフォーカス枠（ＡＦ枠）の画像を生成し、液晶パネル１７に供給して表示させる。
【００４７】
その後、ユーザが操作部２４に概念上含まれるシャッタボタンを押下すると、操作部２４からレリーズ信号がＣＰＵ２３に供給される。このようにして、レリーズ信号がＣＰＵ２３に供給されると、該ＣＰＵ２３はディジタル信号処理部１５を制御し、Ａ／Ｄ変換部１４からディジタル信号処理部１５に供給された画像データを圧縮させ、この圧縮された画像データを記録デバイス１９に記録させることになる。
【００４８】
この撮像装置は、ＡＦ機能を有している。この実施の形態では、撮像素子１２によって撮像された画像上にＡＦ枠が設定され、そのＡＦ枠の内部の画像に基づいてフォーカスが制御される。このＡＦ機能では、ＡＦ枠を、液晶パネル１７に表示された画像上の任意の位置に設定することができるようになっており、さらに、液晶パネル１７と一体的に構成されたタッチパネル１６に対する操作を実行するだけで、その位置やサイズ等の制御を行うことができるようになっている。ＡＦ処理は、ＣＰＵ２３がプログラムＲＯＭ２６のプログラムを読み出して実行することで実現されることになる。
【００４９】
そして、特徴的なのは次の点である。即ち、ＣＰＵ２３は、プログラムＲＯＭ２６の制御プログラムを読み出して実行することで、設定されたモードに基づいて禁止エリアを設定し、タッチパネル１６より操作入力がなされた場合には、それが禁止エリアに指がかかるなどしてなされた誤入力であるか否かを検出し、誤入力である場合には、画面のアイコン表示領域に表示されているアイコンを消去し、アイコンを介した各種設定を禁止し、誤入力がなされている旨をユーザに認識させる。このとき、アイコンを消去すると共に、所定の警告表示をなして、更に誤入力である旨を知らしめてもよい。
【００５０】
また、撮像画像の表示領域の上方等に表示される各種設定や状況を示すアイコンを合わせて消去するようにしてもよいことは勿論である。
【００５１】
次に、図４には本発明の第２の実施の形態に係る撮像装置の概観図を示し説明する。
【００５２】
図４（ａ）は該撮像装置の後方斜視図であり、図４（ｂ）は前方斜視図である。
【００５３】
撮像装置の前面はレンズカバーで覆われており、該前面のレンズカバー５７が下方に開かれると、レンズ部１１に概念上含まれる撮影レンズ５５とＡＦイルミネータ５６が露呈するように配置されている。このＡＦイルミネータ５６は、セルフタイマランプを兼ねている。撮像装置の上面には、ズームレバー（TELE/WIDE）５１とシャッタボタン５２、再生ボタン５３、パワーボタン５４が配置されている。更に、撮像装置の後面には、タッチスクリーン１８が設けられている。ズームレバー５１、シャッタボタン５２、再生ボタン５３、パワーボタン５４は、操作部２４に概念上含まれる。
【００５４】
以下、図５のフローチャートを参照して、本発明の第２の実施の形態に係る撮像装置による特徴的な処理について詳細に説明する。ここでは、図６を適宜参照する。尚、以下の一例の処理は、第２の実施の形態に係る画像表示制御方法にも相当するものである。
【００５５】
タッチパネル１６のアイコンがタップされるなどして、撮影モードが設定されると（ステップＳ１１）、ＣＰＵ２３は、設定された撮影モードに基づいて、禁止エリアを設定する（ステップＳ１２）。例えば、この撮像装置では、撮影画像サイズとして１６：９（１９２０×１０８０画素）、４：３（２５９２×１９４４画素）、３：２（３２６４×２４４８画素）等の中から所望とするものを選択できるようになっているが、各モードに応じて撮像画像のスルー画像の表示態様が異なることに鑑みて、禁止エリアを該サイズに基づいて設定するようにしている。このようにして禁止エリアが設定された後、ＣＰＵ２３は所定の操作画面をタッチスクリーン１８に表示する（ステップＳ１３）。
【００５６】
この操作画面は、図６（ａ）に示される通りであり、操作画面２００には、各種操作を指示するためのアイコン２００ａ乃至２００ｄが表示されており、更に該画面２００の領域２００ｅに相当するタッチパネルの領域は、禁止エリアとして設定されている。
【００５７】
即ち、アイコン２００ａは、画像サイズの設定を意味するアイコンであり、特に静止画画像サイズとしては、８Ｍ（３２６４×２４４８画素）、３：２（３２６４×２１７６画素）、５Ｍ（２５９２×１９４４画素）、３Ｍ（２０４８×１５３６画素）、ＶＧＡ（６４０×４８０画素）、１６：９（１９２０×１０８０画素）等を選択することができる。アイコン２００ｂはフラッシュモード設定に係るアイコンである。アイコン２００ｃは、マクロ／拡大鏡モード設定に係るアイコンである。アイコン２００ｄは、セルフタイマ設定に係るアイコンである。ここでは、説明の簡略化のために、一部のアイコンのみを図示しており、図示されたアイコン群に限定されないことは勿論である。
【００５８】
尚、ここでは不図示となるが、アイコン２００ａに位置には、動画サイズの選択に係るアイコンを表示することもでき、その場合には動画サイズとして、ファイン（６４０×４８０画素；約３０枚）、スタンダード（６４０×４８０画素；約１７枚）、３２０（３２０×２４０画素；約８枚）等を選択することが可能となる。
【００５９】
続いて、ＣＰＵ２３は、タッチパネル１６を介して操作入力がなされたか否かを判断する（ステップＳ１４）。このステップＳ１４において、操作入力がなされていないと判断した場合には、ＣＰＵ２３は操作入力がなされるまで待機することになり、一方、操作入力がなされたものと判断した場合には、ＣＰＵ２３はタッチパネルの禁止エリアに指が触れる等してなされた入力か否かを判断する（ステップＳ１５）。
【００６０】
そして、このステップＳ１５において、ＣＰＵ２３は、禁止エリア（例えば、画面２００の領域２００ｂに相当）に指が触れるなどしてなされた誤入力であると判断した場合には（ステップＳ１５をＹｅｓに分岐）、タッチスクリーン１８の画面のアイコンの表示を消去する（ステップＳ１６）。即ち、この場合、図６（ｂ）に示されるように、画面２０１においては、禁止エリアである領域２０１ｃに指が触れて誤入力がなされているのでアイコン表示領域２０１ａ，２０１ｂのアイコンは全て消去される。また、図６（ａ）に示した各種設定や状況に係るアイコン群２００ｆを併せて消去する。
【００６１】
一方、禁止エリア２０１ｃに指が触れる等してなされた誤入力でなければ（ステップＳ１５をＮｏに分岐）、該入力に基づいて所定の処理を実施し（ステップＳ１７）、ステップＳ１７に進む。続いて、ＣＰＵ２３は、禁止エリア２０１ｃから指が離れたか否かを判断する（ステップＳ１７）。そして、ＣＰＵ２３は、誤入力が検出されなくなるまで、つまり、例えばユーザの指が禁止エリアから離れるまで待機し、その後、禁止エリアから指が離れたものと判断すると（ステップＳ１７をＹｅｓに分岐）、操作部２４に概念上含まれるレリーズスイッチがオンされたか否かを判断する（ステップＳ１８）。
【００６２】
ここで、レリーズスイッチがオンされたと判断した場合には（ステップＳ１８をＹｅｓに分岐）、撮像、記録処理を行い（ステップＳ１９）、処理を終了する。このとき、撮像して得た画像信号に対して所定の画像処理、ＪＰＥＧ(Joint Photographic Coding Experts Group)等の圧縮符号化を行った後に記録デバイス１９に記録することは勿論である。
【００６３】
一方、ＣＰＵ２３は、操作部２４に概念上含まれるレリーズスイッチがオンされていないと判断した場合には（ステップＳ１８をＮｏに分岐）、上記ステップＳ１３に戻り、上記処理を繰り返すことになる。
【００６４】
尚、この撮像装置では、「スポットＡＦモード」に設定することも可能である。
【００６５】
このスポットＡＦモードは、所定のＡＦ検波領域内で所望とするＡＦポイントをマニュアルで設定可能とするモードである。スポットＡＦモードに設定されている場合には、図７（ａ）に示されるように、画面３００中にＡＦ検波枠３００ａとデフォルトのＡＦポイントを示すＡＦ枠３００ｂが表示されることになるが、この画面にて禁止エリア３００ｃに指が触れる等してタッチパネル１６より誤入力がなされた場合でも、図７（ｂ）に示されるように、ＡＦポイントを示すＡＦ枠３０１ｂだけは表示される。
【００６６】
これは、このような状態下であっても、操作部２４に概念上含まれるレリーズボタンが押下されたときには、シャッタチャンスを逃さないように撮影動作を優先して実行可能とするためであり、その場合にＡＦ枠が表示されていないと、いかなるポイントに合焦されるかをユーザが認識できなくなるからである。尚、この場合において、禁止エリアをアイコン表示領域３００ｄ，３００ｅから逸脱した部分であって、ＡＦ検波枠３００ａに至らない（掛からない）範囲内で設定することもできる。
【００６７】
また、３：２の画像サイズが選択されている場合には、例えば図８に示されるように画面４００中のアイコン表示領域４００ａが定められるが、それに併せて禁止エリアが設定されるようにしてもよい。つまり、この場合には、領域４００ａを越えて撮像画像表示領域４００ｃの一部にも跨り複数のアイコン４００ｂが表示されることになるが、禁止エリアは、該領域４００ａのうち、右上方に該領域ａの画面横方向の幅をもって定義される範囲と定めるようにしてもよいし、撮像画像表示領域４００ｃの一部にも跨る形で画面４００の右上部分に所定の矩形範囲で定められてもよい。
【００６８】
以上説明したように、本発明の第１及び第２の実施の形態によれば、操作入力部としてのタッチパネル等の禁止エリアに指がかかるなどして誤入力がなされている場合に、アイコンの表示を消去することで、当該状況をユーザに認識させることができる画像表示装置、撮像装置、画像表示制御方法、及びプログラムを提供することができる。
【００６９】
以上、本発明の一実施の形態について説明したが、本発明はこれに限定されることなくその趣旨を逸脱しない範囲で種々の改良・変更が可能である。
【００７０】
例えば、前述した実施の形態では、シャッタボタンとの関係で、最も指がかかる可能性の高い、タッチパネル１６の右上部分を禁止エリアとして設定した。また、禁止エリアは一か所に限定されるものではなく、複数箇所に設定するようにしてもよい。
【００７１】
また、電源がオンされたタイミングや、初期画面が表示されたタイミングで禁止エリアの存在を液晶パネル１７上の表示で示してもよい。
【図面の簡単な説明】
【００７２】
【図１】本発明の第１の実施の形態に係る画像表示装置の概念図。
【図２】本発明の第１の実施の形態に係る画像表示装置の特徴的な処理について詳細に説明するフローチャート。
【図３】本発明の第２の実施の形態に係る撮像装置の構成を示す図
【図４】（ａ）は本発明の第２の実施の形態に係る撮像装置の後方斜視図、（ｂ）は本発明の第２の実施の形態に係る撮像装置の前方斜視図。
【図５】本発明の第２の実施の形態に係る撮像装置による特徴的な処理について詳細に説明するフローチャート。
【図６】（ａ）、（ｂ）は、本発明の第２の実施の形態に係る撮像装置のタッチスクリーンの表示例を示す図。
【図７】（ａ）、（ｂ）は、本発明の第２の実施の形態に係る撮像装置のタッチスクリーンの他の表示例を示す図。
【図８】本発明の第２の実施の形態に係る撮像装置のタッチスクリーンの他の表示例を示す図。
【符号の説明】
【００７３】
１…制御部、２…制御プログラム、２ａ…禁止エリア設定機能、２ｂ…表示制御機能、２ｃ…主制御機能、３…操作入力部、４…記憶部、５…表示部、１１…レンズ部、１２…撮像素子、１３…アナログ信号処理部、１４…Ａ／Ｄ変換部、１５…ディジタル信号処理部、１６…タッチパネル、１７…液晶パネル、１８…タッチスクリーン、１９…記録デバイス、２０…アクチュエータ、２１…モータドライバ、２２…タイミングジェネレータ、２３…ＣＰＵ、２４…操作部、２５…ＥＥＰＲＯＭ、２６…プログラムＲＯＭ、２７…ＲＡＭ、１００ｂ…禁止エリア、２００ｅ…禁止エリア、２０１ｃ…禁止エリア
【図１】
0005131253.tif 000002
【図２】
0005131253.tif 000003
【図３】
0005131253.tif 000004
【図４】
0005131253.tif 000005
【図５】
0005131253.tif 000006
【図６】
0005131253.tif 000007
【図７】
0005131253.tif 000008
【図８】
0005131253.tif 000009